(57)【要約】【課題】屋根材及び屋根継ぎ手の断熱性、結露防止性、防水性を向上させる。【解決手段】屋根材１は表面材２とこの表面材２の裏面に樹脂性発泡体３を介して配置される裏面材２とを備える。裏面材２にはその軒側端部から棟側端部に至る縦方向に換気溝４３が複数形成されている。二つの屋根材１を横方向に接続させる屋根継ぎ手は、前記接続の際に隣接する屋根材１の横係合部２６に係止する一対の係止片を有する継ぎ手表面材と、この表面材の裏面に樹脂性発泡体を介して配置される裏面材とを備え、この裏面材にはその軒側端部から棟側端部に至る縦方向に溝部が複数形成されている。【選択図】図１
2014080771.tif 000002
【特許請求の範囲】
【請求項１】
表面材と、この表面材の裏面に樹脂性発泡体を介して配置される裏面材とを備え、
前記裏面材にはその軒側端部から棟側端部に至る縦方向に溝部が複数形成されたこと
を特徴とする屋根材。
【請求項２】
前記表面材の化粧面には一つ以上の段差が形成されたこと
を特徴とする請求項１に記載の屋根材。
【請求項３】
前記表面材の軒側縁部には嵌合部が形成される一方で当該表面材の棟側縁部には他の前記屋根材の嵌合部と嵌合する被嵌合部が形成され、
前記被嵌合部の棟側縁部には前記屋根材が野地板に固定される際に固定具が打ち付けられる固定部が前記表面材の重ね折り加工により形成されたこと
を特徴とする請求項１または２に記載の屋根材。
【請求項４】
前記表面材の両縦縁部の裏側には前記屋根材を他の前記屋根材と横方向に接続させる屋根継ぎ手と係合する横係合部が形成されたこと
を特徴とする請求項３に記載の屋根材。
【請求項５】
二つの請求項３に記載の屋根材を横方向に接続させる屋根継ぎ手であって、
前記接続の際に隣接する前記屋根材の縦縁部が挿入される挿入溝が形成された一対の係止片を有する継ぎ手本体と、この本体の裏面に樹脂性発泡体を介して配置される裏面材とを備え、
前記裏面材には軒側端部から棟側端部に至る縦方向に溝部が複数形成されたこと
を特徴とする屋根継ぎ手。
【請求項６】
前記係止片を覆う覆面部材を備え、
この覆面部材は前記係止片を覆う表面材から成り、この表面材の両縦縁部の裏側には前記係止片の挿入溝に係止される被係止部が形成されたこと
を特徴とする請求項５に記載の屋根継ぎ手。
【請求項７】
二つの請求項４に記載の屋根材を横方向に接続させる屋根継ぎ手であって、
前記接続の際に隣接する前記屋根材の横係合部に係止する一対の係止片を有する継ぎ手表面材と、この表面材の裏面に樹脂性発泡体を介して配置される裏面材とを備え、
前記裏面材にはその軒側端部から棟側端部に至る縦方向に溝部が複数形成されたこと
を特徴とする屋根継ぎ手。
【発明の詳細な説明】
【技術分野】
【０００１】
本発明は表面材と裏面材との間に断熱性の材料を有する屋根材とその継ぎ手に関する。
【背景技術】
【０００２】
断熱性、防水性、遮音性を図った屋根材として、表面材と裏面材との間に樹脂性発泡体を介在させた屋根材が知られている（例えば特許文献１，２）。
【０００３】
特許文献１の屋根材は、表面材の化粧面が単一タイプもので、他の屋根材と横方向に接続する縦縁部からの漏水は避けることができるが、当該化粧面を広く確保させると強度的に弱くなる傾向となる。
【０００４】
特許文献２の屋根材は、表面材の曲げ加工による段差により化粧面が複数タイプのもので、化粧面が広く確保されても強度性を維持できるが、化粧面の段差の両端縁部からの漏水の傾向が高まる。
【０００５】
これら従来の屋根材は裏面材の面が単一の平坦面となっており、屋根材を野地板に据え付けた場合には裏面材の面が野地板の面と面接触するので、屋根材と野地板との間で空気の対流が起こりにくくなり、換気効果が少ない。
【先行技術文献】
【特許文献】
【０００６】
【特許文献１】特開２００２−３２７５１９号公報
【特許文献２】特開２００２−３８６５８号公報
【発明の概要】
【発明が解決しようとする課題】
【０００７】
従来の屋根材は、野地板に据え付けた場合に裏面材の面が野地板の面と平面で接するので、当該屋根材と当該野地板との間で空気の対流が起こりにくくなり、湿気を帯びた空気が滞留し結露の原因となる。これにより、屋根母屋の木材や鉄材が腐食しやすくなり、建物の寿命が短くなる。
【０００８】
また、屋根材の断熱効果は、断熱の役割をなす樹脂性発泡体の厚さによって変わり、その厚さが大きい程に断熱効果は向上するが製造コストが高くなる。
【０００９】
さらに、一般的に屋根材は他の屋根材との縦方向の接続が必要で、表面材の化粧面が単一タイプの場合、軒側縁部の嵌合部と棟側縁部の被嵌合部の有効面を広く確保させた構造を採ることで施工数を減らし施工性を向上させることができる。しかしながら、この構造は屋根材の強度が減少することに加え、縦方向に接続された各屋根材の段差の間隔が広くなってしまうので完成時の屋根の美観が損なわれる。
【００１０】
また、野地板に屋根材の固定部をビスまたはクギ等の固定具で固定した時、風圧、熱による屋根本体の膨張、雪の重み等の強い力で止め具廻りの固定部が変形または断裂し、屋根の破損の原因となる。
【００１１】
さらに、従来の屋根材は、表面材の化粧面が複数タイプの場合、他の屋根材と横方向に係合した場合、当該化粧面の段差の両端縁部からの漏水の可能性が高まる。
【課題を解決するための手段】
【００１２】
そこで、本発明の屋根材は、表面材と、この表面材の裏面に樹脂性発泡体を介して配置される裏面材とを備え、前記裏面材にはその軒側端部から棟側端部に至る縦方向に溝部が複数形成されている。本態様によれば屋根材と野地板との間に空気の対流が起こりやすくなる。
【００１３】
前記表面材の化粧面には、一つ以上の段差が形成されるとよい。本態様によれば強度及び美観を損なうことなく縦幅広の屋根材が実現する。
【００１４】
前記表面材の軒側縁部には嵌合部が形成される一方で、当該表面材の棟側縁部には他の前記屋根材の嵌合部と嵌合する被嵌合部が当該表面材の曲げ加工により形成され、前記被嵌合部の棟側縁部には前記屋根材が野地板に固定される際に固定具が打ち付けられる固定部が当該表面材の重ね折り加工により形成されるとよい。本態様によれば複数の前記屋根材を縦方向に接続できると共に前記固定部が補強される。
【００１５】
前記表面材の両縦縁部の裏側には、前記屋根材を他の前記屋根材と横方向に接続させる屋根継ぎ手と係合する横係合部が形成されるとよい。本態様によれば上記の屋根材の横方向への接続が可能となる。
【００１６】
また、本発明の屋根継ぎ手は、前記横係合部を有しない二つの屋根材を横方向に接続させる屋根継ぎ手であって、前記接続の際に隣接する前記屋根材の縦縁部が挿入される挿入溝が形成された一対の係止片を有する継ぎ手本体と、この本体の裏面に樹脂性発泡体を介して配置される裏面材とを備え、前記裏面材には軒側端部から棟側端部に至る縦方向に溝部が複数形成されている。本態様によれば前記横係合部を有しない二つの屋根材を横方向に接続できる。また、屋根継ぎ手の断熱性が向上すると共に当該屋根継ぎ手と野地板との間に空気の対流が起こりやすくなる。
【００１７】
前記継ぎ手本体においては、前記係止片を覆う覆面部材を備え、この覆面部材は前記継ぎ手表面材の係止片を覆う表面材から成り、この表面材の両縦縁部の裏側には前記係止片の挿入溝に係止される被係止部が形成されるとよい。本態様によれば当該継ぎ手表面材の係止片を遮蔽できる。
【００１８】
また、本発明の他の屋根継ぎ手は、前記横係合部を有する二つの屋根材を横方向に接続させる屋根継ぎ手であって、前記接続の際に隣接する前記屋根材の横係合部に係止する一対の係止片を有する継ぎ手表面材と、この表面材の裏面に樹脂性発泡体を介して配置される裏面材とを備え、前記裏面材にはその軒側端部から棟側端部に至る縦方向に溝部が複数形成されている。本態様によれば前記横係合部を有する複数の前記屋根材を横方向に接続できる。また、屋根継ぎ手の断熱性が向上すると共に当該屋根継ぎ手と野地板との間に空気の対流が起こりやすくなる。
【発明の効果】
【００１９】
したがって、以上の発明によれば屋根材及び屋根継ぎ手の断熱性、結露防止性、防水性が向上する。
【図面の簡単な説明】
【００２０】
【図１】（ａ）は発明の実施形態１における屋根材の斜視図，（ｂ）は同屋根材の軒側端部の側面図，（ｃ）は同屋根材の縦側端部の側面図。
【図２】上記屋根材の裏側斜視図。
【図３】（ａ）は上記屋根材の嵌合部の縦断面図，（ｂ）は同屋根材の傾斜立ち上がり部の縦断面図，（ｃ）は同屋根材の被嵌合部の縦断面図。
【図４】一方の上記屋根材の嵌合部と他方の同屋根材の被嵌合部との嵌合状態を示した縦断面図。
【図５】（ａ）実施形態１における屋根継ぎ手の平面図，（ｂ）同継ぎ手の軒側正面図，（ｃ）同継ぎ手の側面図，（ｄ）同継ぎ手の斜視図，（ｅ）同継ぎ手の裏側斜視図。
【図６】同屋根継ぎ手のＤ−Ｄ矢視図。
【図７】（ａ）実施形態１における三つの平坦部を有する屋根材の斜視図，（ｂ）同屋根材の軒側正面図，（ｃ）同屋根材の側面図，
【図８】上記三つの平坦部を有する屋根材の裏側斜視図。
【図９】（ａ）実施形態１における三つの平坦部を有する屋根継ぎ手の平面図，（ｂ）同継ぎ手の軒側正面図，（ｃ）同継ぎ手の側面図，（ｄ）同継ぎ手の斜視図，（ｅ）同継ぎ手の裏側斜視図。
【図１０】実施形態１における屋根材の施工手順の説明図。
【図１１】同屋根材の施工手順の説明図。
【図１２】同屋根材の施工手順の説明図。
【図１３】同屋根材の施工手順の説明図。
【図１４】同屋根材の施工手順の説明図。
【図１５】（ａ）は発明の実施形態２における屋根材の斜視図，（ｂ）は同屋根材の軒側端部の側面図，（ｃ）は同屋根材の縦側端部の側面図。
【図１６】上記屋根材の裏側斜視図。
【図１７】（ａ）実施形態２における屋根継ぎ手の平面図，（ｂ）同継ぎ手の軒側正面図，（ｃ）同継ぎ手の側面図，（ｄ）同継ぎ手の斜視図，（ｅ）同継ぎ手の裏側斜視図。
【図１８】上記屋根継ぎ手のＤ−Ｄ矢視図。
【図１９】（ａ）は継ぎ手キャップの斜視図，（ｂ）は同キャップの裏側斜視図。
【図２０】（ａ）実施形態２における三つの平坦部を有する屋根材の斜視図，（ｂ）同屋根材の軒側正面図，（ｃ）同屋根材の側面図，
【図２１】上記三つの平坦部を有する屋根材の裏側斜視図。
【図２２】（ａ）実施形態２における三つの平坦部を有する屋根継ぎ手の平面図，（ｂ）同継ぎ手の軒側正面図，（ｃ）同継ぎ手の側面図，（ｄ）同継ぎ手の斜視図，（ｅ）同継ぎ手の裏側斜視図。
【図２３】（ａ）は上記三つの平坦面を有する継ぎ手キャップの斜視図，（ｂ）は同キャップの裏側斜視図。
【図２４】実施形態２における屋根材の施工手順の説明図。
【図２５】同屋根材の施工手順の説明図。
【図２６】同屋根材の施工手順の説明図。
【図２７】同屋根材の施工手順の説明図。
【図２８】同屋根材の施工手順の説明図。
【図２９】同屋根材の施工手順の説明図。
【図３０】同屋根材の施工手順の説明図。
【発明を実施するための形態】
【００２１】
以下に図面を参照しながら本発明の実施形態について説明する。
【００２２】
［実施形態１］キャップレスタイプの屋根継ぎ手が適用される屋根材とその接続構造
図１（ａ）〜図１（ｃ）に示した実施形態１の屋根材１は、表面材２と、この表面材２の裏面に樹脂性発泡体３を介して配置される裏面材４とを備える。
【００２３】
表面材２は、カラー鋼板，ステンレス板，銅板に例示される金属板から成り、この鋼材の曲げ加工により化粧面２０の横方向（図示の態様例では長手方向）に一つ以上の傾斜立ち上がり部２１（段差）が形成されたことで複数の平坦部２２を有する。図１に例示された表面材２は化粧面２０の中央にて横方向に傾斜立ち上がり部２１が一つ形成されたことで軒側平坦部２２ａ、棟側平坦部２２ｂを有する。また、図７に例示された屋根材１ａの表面材２は傾斜立ち上がり部２１が化粧面２０の中央付近にて横方向に所定の幅で互いに平行に２つ形成されたことで軒側平坦部２２ａ，中央平坦部２２ｃ，棟側平坦部２２ｂを有する。
【００２４】
傾斜立ち上がり部２１は、詳細には図３（ｂ）に例示したように、軒側平坦部２２ａから棟側に斜めに立上った立ち上がり部２１１と、この立ち上がり２１１からさらに棟側に断面円弧状に立上って軒側平坦部２２ｂに連なる傾斜突出部２１２とを有する。
【００２５】
また、図１に示したように表面材２の軒側縁部においては表面材２の曲げ加工により嵌合部２３が形成される一方で、当該表面材２の棟側縁部においては他の屋根材１の嵌合部２３と嵌合する被嵌合部２４が同加工により形成されている。
【００２６】
さらに、被嵌合部２４の棟側縁部には図４に示したように屋根材１が野地板９に固定される際に固定具１０が打ち付けられる固定部２５が表面材２の曲げ加工により形成され、複数の屋根材１を縦方向に接続できるようになっている。
【００２７】
嵌合部２３は、図３（ａ）に示したように、軒側平坦部２２ａの軒側縁部から断面円弧状に立ち下った軒先傾斜突出部２３１と、この突出部２３１の下端から斜め軒側下方に立ち下った軒側傾斜立ち上がり２３２と、この立ち上がり２３２の下端から棟側に軒側平坦部２２ａに略平行に折り返し途中で差し込みリブ２３３が形成されさらにその先端にて差込端折り返し２３４が形成された差込片２３５とを有する。
【００２８】
被嵌合部２４は、図３（ｃ）に示したように、他の屋根材１の嵌合部２３における差込片２３５が差し込み可能な引掛け溝２４１を有する。引掛け溝２４１は、棟側平坦部２２ｂの軒側端部から上方に断面Ｕ字状に折り返す曲げ加工により形成されている。この溝２４１の上端からは軒側斜め上方に立ち上がった導入斜面２４２と、この斜面２４２の上端２４３を折り返した上端斜面２４４と、この斜面２４４の下端から棟側平坦部２２ｂと平行に棟側に伸びた上部面２４５と、この上部面２４５から棟側斜め下方に立ち下がった傾斜面２４６と、この斜面２４６からさらに棟側平坦面２２ｂに鉛直に立ち下がった立下り２４７とが形成されている。
【００２９】
固定部２５は、被嵌合部２４の立下り２４７の下端から棟方向に棟側平坦部２２ｂと平行に延び途中で固定溝２５１が形成された固定面２５２と、この固定面２５２の棟側端部から軒側斜め上方に折り曲げた突出片２５３とを有する。そして、この突出片２５３の下端からは固定溝２５１を含めた固定面２５２さらには被嵌合部２４の立下り２４７の裏面まで延びた二重折り返し２５４が施されている。
【００３０】
また、図１，図２に示したように軒側平坦部２２ａ，棟側平坦部２２ｂの両縦縁部の裏側には屋根材１を他の屋根材１と横方向に接続させる後述の屋根継ぎ手５と係合する横係合部２６が形成されることで屋根材１の横方向への接続が可能となっている。横係合部２６は、表面材２の両縦縁部の裏側に施された折り返し部２６０と、この折り返し部２６０から当該表面材２の裏面と平行に裏面材３に向かって延出した凸状折り返し片２６１とから成る。
【００３１】
裏面材４は、紙，アルミ蒸着紙，アルミ薄板，カラー鋼板，亜鉛メッキ鋼板等に例示された板材から成り、この板材のプレス加工により図１（ｂ），図２に示したように樹脂性発泡体３の充填肉厚が表面材２の嵌合部２３に向かって大きくなる縦断面くさび形状に形成されている。また、同図に示したように裏面材４には軒側端部４１から棟側端部４２に至る縦方向に深さ台形状の換気溝（溝部）４３が複数形成されている。
【００３２】
裏面材４は、図２に示したように、屋根材１が他の屋根材１と縦方向に接続された際に当該他の屋根材１の被嵌合部２４，固定部２５が位置する縦係合空間４４と、屋根材１が他の屋根材と横方向に接続された際に後述の屋根継ぎ手５の縦半分が位置する横係合空間４５とが確保された表面材２の裏面にて樹脂性発泡体３を介して接着剤によって固定される。樹脂性発泡体３の材料にはポリウレタン、ポリイソシアヌレート等に例示される周知の断熱性材料が適用される。尚、屋根材１の表面材が図７に例示された表面材２ａである場合、裏面材４は図８に示したようにこの表面材２ａの形態と対応するように形成される。
【００３３】
次いで、屋根材１を横方向に接続させる屋根継ぎ手５の構成について説明する。
【００３４】
図５に例示した屋根継ぎ手５は、二つの屋根材１を横方向に接続させるキャップレスタイプの屋根継ぎ手である。屋根継ぎ手５は、前記接続の際に隣接する屋根材１の横係合部２６に係止する一対の係止片５１を有する継ぎ手表面材５２と、この表面材５２の裏面に樹脂性発泡体５３を介して配置される裏面材５４とを備える。
【００３５】
継ぎ手表面材５２は、屋根材１の表面材２と同材料からなる底板５２０を表面材２の形状に対応させて曲げ加工することにより形成されている。図５（ａ）に示したように継ぎ手表面材５２は底板５２０の横中央付近に立ち上がり部５２１が一つ形成されたことで、軒側平坦部５２２ａ、棟側平坦部５２２ｂを有する。
【００３６】
図６に示したように継ぎ手表面材５２の両縦縁部には底板５２０の重ね折り加工により水返し部５５が形成されている。水返し部５５は、底板５２０の両縦縁部にて上方鋭角に折り曲げた水返し片５５１とこの水返し片５５１の先端をさらに内側に折り返した水返し斜面５５２とから成る。
【００３７】
そして、水返し斜面５５２の下端から底板５２０に重ねられた防水面５５３からは雨受け立ち上がり５５４が底板５２０縦中央側に斜め上方に立ち上がっている。さらに、この立ち上がり５５４の頂端から前記中央側に底板５２０と平行に折り曲げられた縦縁部からは、底板５２０との間に浸水した水の軒側への流下及び屋根材１の横係合部２６の挿入が可能な隙間５１０を確保した凸状の係止片５１が同中央側に延出している。尚、軒側平坦部５２２ａ，棟側平坦部５２２ｂ上の互いに対向する係止片５１間には屋根材１を横方向に接続した際に隣接した屋根材１の縦縁部が位置する隙間５１１が確保されている。
【００３８】
また、係止片５１近傍の継ぎ手表面材５２の縦縁部側には底板５２０の曲げ加工により止水リブ５６が底板５２０の軒側端部から棟側端部に至る縦方向に形成されている。さらに、止水リブ５６近傍の前記両縦縁部側には屋根材１の押圧を受ける防水樹脂５７が前記縦方向に配置されている。
【００３９】
そして、図５に示したように継ぎ手表面材５２の軒側縁部には屋根材１の嵌合部２３と嵌合する軒先屈曲部５２３が底板５０の曲げ加工により斜め下方に立ち下がっている。一方、継ぎ手表面材５２の棟側縁部には底板５２０の重ね折り加工により棟側水返し部５２４が形成されている。また、継ぎ手表面材５２上の棟側水返し部５２４近傍には屋根材１の押圧を受ける防水樹脂５８が配置されている。
【００４０】
裏面材５４は、屋根材１の裏面材４と同様に、紙，アルミ蒸着紙，アルミ薄板，カラー鋼板，亜鉛メッキ鋼板等に例示された板材から成り、この板材のプレス加工により図５に示したように樹脂性発泡体３の充填肉厚が軒側端部５４１に向かって大きくなる高さ断面舟形状に形成されている。裏面材５４にはその軒側端部５４１から棟側端部５４２に至る縦方向に換気溝（溝部）５４３が複数形成されている。
【００４１】
裏面材５４は、屋根材１が他の屋根材１と縦方向に接続された際に当該他の屋根材１の被嵌合部２４，固定部２５が位置する縦係合空間５４４が確保された継ぎ手表面材５２の裏面にて樹脂性発泡体５３を介して接着剤によって固定される。樹脂性発泡体５３の材料には上述の樹脂性発泡体３と同様にポリウレタン，ポリイソシアヌレート等に例示される周知の断熱性材料が適用される。
【００４２】
また、屋根材の表面材が図７に例示された表面材２ａである場合、図９に示した屋根継ぎ手５ａのように表面材２ａの形態と対応して形成される。屋根継ぎ手５ａの継ぎ手表面材５２は、傾斜立ち上がり部５２１が底板５２０の横中央付近にて所定の幅で互いに平行に２つ形成されて、軒側平坦部５２２ａ，中央平坦部５２２ｃ，棟側平坦部５２２ｂを有する。この各平坦部５２２ａ，５２２ｃ，５２２ｂ上には表面材２の各平坦部２２ａ，２２ｃ，２２ｂの両縦縁部における各横係合部２６に係合する一対の係止片５１が上述と同様の底板５２０の折り曲げ加工により具備される。そして、裏面材５４は図８，図９に示したようにこの継ぎ手表面材５２の形態と対応するように形成される。
【００４３】
次いで、図１０〜図１４を参照しながら屋根材１の施工手順の一例について説明する。
【００４４】
図１０に示したように野地板９に載置された屋根材１の一方の縦縁部に対して屋根継ぎ手５の一方の縦半部分を合わせて当該継ぎ手５を棟側から軒側にスライドさせると、当該継ぎ手５の当該縦半部分における軒側，棟側の係止片５１が屋根材１の当該縦縁部における軒側，棟側の凸状折り返し片２６１上にそれぞれ系止される。次いで、図１１に示したように、前記継ぎ手５の他方の縦半部分に対して他の屋根材１の一方の縦縁部を合わせて当該屋根材１を軒側から棟側にスライドさせると、当該継ぎ手５の当該縦半部分上における軒側，棟側の係止片５１は当該屋根材１の一方の縦縁部における軒側，棟側の凸状折り返し片２６１上にそれぞれ系止される。これにより両者の屋根材１は横方向に係合した状態となる。そして、図４に示したように前記継ぎ手５と重なっていない屋根材１の固定部２５の固定溝２５１に固定具１０が打ち付けられることで屋根材１は横方向に接続された状態で野地板９に固定される。この工程を繰り返すことで図１２に示したように一段目の複数の屋根材１が横方向に接続される。
【００４５】
棟側二段目の屋根材１を葺設する際には、先ず、図１３に示したように一方の縦縁部に屋根継ぎ手５が係止された屋根材１の嵌合部２３を一段目における任意の屋根材１の被嵌合部２４と嵌合させる。次いで、図１４に示したように当該継ぎ手５の縦半部分に対して一方の縦縁部に他の屋根継ぎ手５が係止され且つ他方の縦縁部に他の屋根継ぎ手５が係止されていない他の屋根材１の当該他方の縦縁部を合わせて、当該他の屋根材１を軒側から棟側にスライドさせると、当該継ぎ手５の当該縦半部分における軒側，棟側の係止片５１は当該他の屋根材１の他方の縦縁部における軒側，棟側の凸状折り返し片２６１上にそれぞれ係止される。これにより両者の屋根材１は横方向に係合した状態となる。そして、前記継ぎ手５と重なっていない屋根材１の固定部２５の固定溝２５１に固定具１０が打ち付けられることで当該両者の屋根材１は横方向に接続された状態で野地板９に固定される。この工程を繰り返すことで棟側二段目において複数の屋根材１が横方向に接続される。
【００４６】
以上の工程が繰り返されることで建屋の野地板９に屋根材１から成る屋根が葺設される。
【００４７】
以上のように本実施形態の屋根材１によれば裏面材４において換気溝４３が複数形成されているので、屋根材１と野地板９との間に空気の対流が起こりやすくなる。したがって、熱を帯びた空気を屋根外に放出されるので断熱効果が向上する。さらには、湿気を帯びた空気を屋根外に放出できるので結露防止も向上する。
【００４８】
また、表面材２の化粧面２０においては横方向に一つ以上の傾斜立ち上がり部２１が形成され、複数の平坦部２２を有しているので、強度及び美観を損なうことなく縦幅広の屋根材が実現する。さらに、表面材２の固定面２５２には二重折り返し２５４が施されているので固定部２５が補強された状態となっている。
【００４９】
また、屋根継ぎ手５においては、継ぎ手表面材５２の裏面に樹脂性発泡体５３を介して配置される裏面材５４を備えているので、屋根継ぎ手５の断熱性が向上する。また、裏面材５４に換気溝５４３が複数形成されているので、屋根継ぎ手５の断熱性が向上すると共に屋根継ぎ手５と野地板９との間に空気の対流が起こりやすくなる。したがって、屋根継ぎ手５における断熱効果及び結露防止が向上する。
【００５０】
さらに、屋根継ぎ手５の継ぎ手表面材５２の両縦縁部には底板５２０の重ね折り加工により水返し部５５が形成されており、継ぎ手表面材５２に浸入した水の当該表面材５２の両縦側端部から野地板９への流出を防止できる。しかも、水返し部５５が補強された状態となっている。
【００５１】
また、屋根継ぎ手５の係止片５１近傍の継ぎ手表面材５２の縦縁部側には止水リブ５６が底板５２０の軒側端部から棟側端部に至る縦方向に形成されているので、横方向に隣接した屋根材１間から浸入した水を継ぎ手表面材５２の軒側端部に案内できる。
【００５２】
さらに、屋根継ぎ手５の止水リブ５６近傍の前記両縦縁部側には屋根材１の押圧を受ける防水樹脂５７が前記縦方向に配置されているので、止水リブ５６から越流した水の水返し部５５側への移行を防ぐことができる。
【００５３】
そして、屋根継ぎ手５の継ぎ手表面材５２の棟側縁部には底板５０の曲げ加工により棟側水返し部５２４が形成されているので、継ぎ手表面材５２に浸入した水の当該表面材５２の棟側縁部から野地板９への流出を防止できる。
【００５４】
また、継ぎ手表面材５２上の棟側水返し部５２４近傍には屋根材１の押圧を受ける防水樹脂５８が配置されているので、横方向に隣接した屋根材１の棟側端部間からの浸水を防止できる。
【００５５】
さらに、係止片５１、水返し部５５、止水リブ５６、棟側水返し部５２４は継ぎ手表面材５２と同一の材料から成るので前記屋根継ぎ手の製造コストの削減が可能となる。
【００５６】
［実施形態２］キャップタイプの屋根継ぎ手が適用される屋根材とその接続構造
図１５，図１６，図２０，図２１に例示した実施形態２の屋根材６，６ａは、表面材２において横係合部２６を備えていないこと以外は、実施形態１の屋根材１，１ａと同じ構成となっている。
【００５７】
屋根材６を横方向に接続させる屋根継ぎ手７の構成について説明する。
【００５８】
図１７に例示した屋根継ぎ手７は、二つの屋根材６を横方向に接続させるキャップタイプの屋根継ぎ手である。屋根継ぎ手７は、前記接続の際に隣接する屋根材６の表面材２の縦縁部に係止する継ぎ手本体７１と、この本体７１の裏面に樹脂性発泡体７２を介して配置される裏面材７３とを備える。
【００５９】
継ぎ手本体７１は、前記隣接する表面材２の縦縁部が挿入される挿入溝７４が形成された一対の係止片７５を有する継ぎ手表面材５２と、この表面材５２が固定配置される当該表面材５２よりも横幅大の二次防水表面材７６とから成る。継ぎ手表面材５２は二次防水表面材７６の底板７６０の縦中央付近に接着剤によって固定される。
【００６０】
継ぎ手表面材５２，二次防水表面材７６は、表面材２の形状に対応して底板５２０，７６０の曲げ加工により形成されている。図１７に例示された継ぎ手表面材５２は底板５２０の横中央付近に立ち上がり部５２１が一つ形成されたことで軒側平坦部５２２ａ，棟側平坦部５２２ｂを有する。同様に二次防水表面材７６も立ち上がり部７６１，軒側平坦部７６２ａ，棟側平坦部７６２ｂを有する。
【００６１】
図１８に示したように本実施形態の継ぎ手表面材５２は、係止片５１の代わりに係止片７５を備えた以外は、実施形態１の継ぎ手表面材５２と同じ構成となっている。すなわち、雨受け立ち上がり５５４の頂端から底板５２０の縦中央側に底板５２０と平行に折り曲げられた縦縁部から、底板５２０との間に浸水した水の軒側への流下が可能な隙間７５０を確保した凸状の係止片７５が前記中央側に延出している。さらに、この係止片７５は屋根材６の縦縁部の挿入が可能な隙間を確保した挿入溝７４を形成させて底板５２０の縦縁部側に折り返した態様となっている。尚、軒側平坦部５２２ａ，棟側平坦部５２２ｂ上の互いに対向する係止片７５間には屋根材６を横方向に接続した際に隣接した屋根材６の縦縁部が位置する隙間７５１が確保されている。
【００６２】
二次防水表面材７６は図１７に示したように両縦縁部には底板７６０の曲げ加工により二次防水水返し部７７が形成されている。また、二次防水面材７６の軒側縁部には屋根材６の嵌合部２３と嵌合する軒先屈曲部７８が同加工により斜め下方に立ち下がっている。さらに、二次防水表面材７６の棟側縁部には二次防水棟側水返し部７９が同加工により形成されている。尚、二次防水水返し部７７，二次防水棟側水返し部７９は底板７６０の重ね折り加工により当該表面材７６の表面に対して鋭角に形成されている。
【００６３】
裏面材７３は、屋根材１の裏面材４と同様に、紙，アルミ蒸着紙，アルミ薄板，カラー鋼板，亜鉛メッキ鋼板等に例示された板材から成る。裏面材７３は図１７（ｅ）に示したように前記板材のプレス加工により樹脂性発泡体７２の充填肉厚が軒側端部７３１に向かって大きくなる高さ断面舟形状に形成されている。裏面材７３にはその軒側端部７３１から棟側端部７３２に至る縦方向に換気溝（溝部）７３３が複数形成されている。
【００６４】
裏面材７３は、図１７（ｅ）に示したように、屋根材６が他の屋根材６と縦方向に接続された際に当該他の屋根材６の被嵌合部２４が位置する縦係合空間７３４が確保された二次防水面材７６の裏面にて樹脂性発泡体７２を介して接着剤によって固定される。樹脂性発泡体７２の材料には上述の樹脂性発泡体３と同様にポリウレタン，ポリイソシアヌレート等に例示される周知の断熱性材料が適用される。
【００６５】
また、図１９に示したように屋根継ぎ手７は係止片７５を覆う継ぎ手キャップ（覆面部材）８を備える。この継ぎ手キャップ８は継ぎ手表面材５２の係止片７５を覆う表面材８１から成る。この表面材８１の両縦縁部の裏側には係止片７５の挿入溝７４に係止される被係止部８２が形成されている。
【００６６】
表面材８１は、継ぎ手表面材５２と同様に、カラー鋼板，ステンレス板，銅板に例示される鋼材から成る。表面材８１は、継ぎ手表面材５２の形態に対応した前記鋼材の曲げ加工により、その化粧面の中央にて横方向に傾斜立ち上がり部８３が一つ形成されたことで軒側平坦部８３ａ、棟側平坦部８３ｂを有する。
【００６７】
被係止部８２は、表面材８１の両縦縁部の裏側に施された折り返し部８４と、表面材８１の軒側平坦面８３ａ、棟側平坦面８３ｂの裏面にて折り返し部８４から当該裏面と平行に裏面縦中央部に向かって延出した凸状折り返し片８５とから成る。
【００６８】
また、表面材８１の軒側端部には屋根材６の嵌合部２３と嵌合する嵌合部８６が形成される一方で、表面材８１の棟側端部には屋根材６の被嵌合部２４における引掛け溝２４１に挿入される挿入部８７が形成されている。嵌合部８６は、前記嵌合部２３の軒側傾斜立ち上がり２３２と当接する軒側傾斜立ち上がり８６１と、当該嵌合部２３の差込片２３５に係止される差込片８６２とからなる。
【００６９】
また、屋根材の表面材が図２０に例示された表面材６ａである場合、屋根継ぎ手及び継ぎ手キャップは図２２，図２３に示した屋根継ぎ手７ａ及び継ぎ手キャップ８ａのように表面材６の形態に対応して形成される。
【００７０】
次いで、図２４〜図３０を参照しながら屋根材６の施工手順の一例について説明する。
【００７１】
図２４に示したように、野地板９に載置された屋根材６の一方の縦縁部に対して屋根継ぎ手７の一方の縦半部分を合わせて当該継ぎ手７を横方向にスライドさせると、当該縦半部分における軒側，棟側の係止片７５の挿入溝７４に当該一方の軒側，棟側の縦縁部がそれぞれ挿入され、当該継ぎ手７と屋根材１とが係合する。次いで、図２５に示したように、当該継ぎ手７の他方の縦半部分に対して他の屋根材６の一方の縦縁部を合わせて当該屋根材６を横方向にスライドさせると、当該縦半部分における軒側，棟側の係止片７５の挿入構７４に当該一方の軒側，棟側の縦縁部が挿入される。これにより両者の屋根材６は横方向に係合した状態となる。次いで、当該継ぎ手７と重なっていない屋根材６の固定部２５の固定溝２５１に図４に示したように固定具１０が打ち付けられることで両者の屋根材６は横方向に接続された状態で野地板９に固定される。この工程を繰り返すことで図２６に示したように一段目の複数の屋根材６が横方向に接続される。
【００７２】
次いで、図２７に示したように継ぎ手キャップ８の棟側，軒側における一対の凸状折り返し片８５をそれぞれ当該継ぎ手７の棟側，軒側における一対の係止片７５と屋根材６の化粧面２０との間に挿入させて当該キャップ８を棟方向にスライドさせる。当該キャップ８の挿入部８７が屋根材６の引掛け溝２４１に挿入され且つ当該キャップ８の嵌合部８６が当該屋根材６の嵌合部２３と嵌合すると、当該屋根材６間の係止片７５は当該キャップ８によって完全に遮蔽された状態となる。
【００７３】
棟側二段目の屋根材６を葺設する際には、先ず、図２８に示したように新たな屋根継ぎ手７の軒先屈曲部７８を一段目における任意の屋根材６の被嵌合部２４と嵌合させる。次いで、上述の一段目の屋根材６の接続手順と同様の手順によって図２９に示したように軒側二段目において複数の屋根材６が横方向に接続される。そして、上述の手順によって図３０に示したように軒側二段目における屋根材６間の係止片７５が継ぎ手キャップ８によって遮蔽される。
【００７４】
以上の工程が繰り返されることで建屋の野地板９に屋根材６から成る屋根が葺設される。
【００７５】
以上のように本実施形態の屋根材６によれば上述の実施形態１の屋根材１と同様の効果が得られる。
【００７６】
また、屋根継ぎ手７においては、継ぎ手本体７１の裏面に樹脂性発泡体７２を介して配置される裏面材７３を備えているので屋根継ぎ手７の断熱性が向上する。また、裏面材７３に換気溝７３３が複数形成されているので、屋根継ぎ手７の断熱性が向上すると共に屋根継ぎ手７と野地板９との間に空気の対流が起こりやすくなっている。したがって、屋根継ぎ手５における断熱効果及び結露防止が向上する。
【００７７】
さらに、屋根継ぎ手７は二次防水表面材７６を備えているので、屋根材６を横方向に接続できると共に隣接する屋根材６間から侵入した水の野地板９への流出を防止できる。
【００７８】
そして、二次防水表面材７６の棟側縁部には二次防水棟側水返し部７８が形成されているので、二次防止表面材７６に浸入した水の当該表面材７６の棟側縁部から野地板９への流出を防止できる。
【００７９】
また、二次防水水返し部７７，二次防水棟側水返し部７９は底板７６０の重ね折り加工され当該表面材７６の表面に対して鋭角に形成されているので、屋根継ぎ手７の製造コストが削減されると共に各水返し部７７，７９が補強された状態となっている。
【００８０】
さらに、屋根継ぎ手７は継ぎ手キャップ８を備えており、屋根材６の横接続部分における係止片７５の遮蔽が可能となるので、屋根材６間の美観が確保される。
【００８１】
尚、従来において樹脂性発泡体は屋根材の施工時に現場にて加工した後に表面材と裏面材との間に配置させていた。特に、屋根の葺設の際には表面材の他にこの表面材と同等の大きさの発泡体を建屋上まで運搬してから加工作業が必要となる。屋根材１，１ａ，６，６ａ及び屋根継ぎ手５，５ａ，７，７ａは表面材と裏面材と樹脂性発泡体とが予め一体的に組まれているので危険な建屋上での加工作業が必要でなくなる。
【符号の説明】
【００８２】
１，１ａ，６，６ａ…屋根材
２…表面材、２０…化粧面、２３…嵌合部，２４…被嵌合部，２５…固定部，２６…横係止部
３…発泡樹脂体
４…裏面材、４３…換気溝
５，５ａ，７，７ａ…屋根継ぎ手
５１…係止片、５２…継ぎ手表面材、５３…発泡樹脂体、５４…裏面材、５４３…換気溝、５５…水返し部、５６…止水リブ、５７…防水樹脂、５８…棟側水返し部、５９…防水樹脂
７１…継ぎ手本体、７２…樹脂性発泡体、７３…裏面材、７３３…換気溝、７６…二次防止表面材、７７…二次防水表面材、７９…二次防水棟側水返し部
８…継ぎ手キャップ（覆面部材）、８１…表面材、８２…被係止部
９…野地板
【図１】
2014080771.tif 000003
【図２】
2014080771.tif 000004
【図３】
2014080771.tif 000005
【図４】
2014080771.tif 000006
【図５】
2014080771.tif 000007
【図６】
2014080771.tif 000008
【図７】
2014080771.tif 000009
【図８】
2014080771.tif 000010
【図９】
2014080771.tif 000011
【図１０】
2014080771.tif 000012
【図１１】
2014080771.tif 000013
【図１２】
2014080771.tif 000014
【図１３】
2014080771.tif 000015
【図１４】
2014080771.tif 000016
【図１５】
2014080771.tif 000017
【図１６】
2014080771.tif 000018
【図１７】
2014080771.tif 000019
【図１８】
2014080771.tif 000020
【図１９】
2014080771.tif 000021
【図２０】
2014080771.tif 000022
【図２１】
2014080771.tif 000023
【図２２】
2014080771.tif 000024
【図２３】
2014080771.tif 000025
【図２４】
2014080771.tif 000026
【図２５】
2014080771.tif 000027
【図２６】
2014080771.tif 000028
【図２７】
2014080771.tif 000029
【図２８】
2014080771.tif 000030
【図２９】
2014080771.tif 000031
【図３０】
2014080771.tif 000032